(57)【要約】      （修正有）【課題】信頼性と高い操作性とを有する、開操作可能な省力化ステープラーを提供する。【解決手段】省力化ステープラーであって、基台部１０と、鉄床部と、前部ギアを有する１組のフレーム部１２と、上記フレーム１２に回転可能に接続されたステープルマガジンと、上記基台部１０と上記ステープルマガジンとの間に配置された第１弾性部材と、ストライカー３３と中間ストライカー開口部とを有するストライカーレバーと、上記ステープルマガジンと上記ストライカーレバーとの間に配置された第２弾性部材と、上記前部ギアに噛み合う後部ギアと、中間レバー開口部と、上記中間ストライカー開口部および上記中間レバー開口部に通された中間ピンとを有する押しレバーとを備える。【選択図】図１
0003196139.tif 000002
【実用新案登録請求の範囲】
【請求項１】
開操作可能な省力化ステープラーであって、
基台部と、
上記基台部の前端部に形成された鉄床部と、
上記基台部の後端部に形成されており、それぞれが後部穴と前部ギアとを備えている１組のフレーム部と、
上記１組のフレーム部の上記後部穴に通された後部ピンと、
上記後部ピンおよびマガジン前部に回転可能に接続されたマガジン後部を有するステープルマガジンと、
上記基台部と上記ステープルマガジンとの間に配置された第１弾性部材と、
上記後部ピンに回転可能に接続されたストライカー後部と、ストライカーを有するストライカー前部と、１組の中間ストライカー開口部とを有するストライカーレバーと、
上記ステープルマガジンと上記ストライカーレバーとの間に配置された第２弾性部材と、
レバー前部と、それぞれが上記前部ギアの１つに噛み合う１組の後部ギアと、１組の中間レバー開口部と、上記ストライカーレバーの上記中間ストライカー開口部と上記中間レバー開口部とに通された中間ピンとを有する押しレバーと、
上記ストライカーレバーと上記押しレバーとの間に配置された第３弾性部材と、
上記後部ピンに回転可能に接続されたハンドカバーとを備えている省力化ステープラー。
【請求項２】
上記押しレバーは、当該押しレバーに設けられた１組の前部レバー開口部と、上記１組の前部レバー開口部に通された前部ピンと、１組の上記前部ピンを覆う１組の角型スライダーとを備え、
上記ハンドカバーは、上記１組の角型スライダーをそれぞれ囲む１組の内部溝を備えている、請求項１に記載の省力化ステープラー。
【考案の詳細な説明】
【考案の詳細な説明】
【０００１】
〔技術分野〕
本発明は、文房具のステープラーに関するものであり、より詳細には、確実かつ効果的に省力化することができるステープラーに関するものである。
【０００２】
〔背景技術〕
ステープラーは文房具として一般的に用いられている。ステープラーは、積み重ねた書類を綴じるために用いられる。従来の省力化ステープラーは、テーブル等の平面に載置可能な基台部と、上記基台部の前端部に形成された鉄床部と、上記基台部の後端部に形成された１組のフレーム部と、上記１組のフレーム部の後部を通る後部ピンと、上記１組のフレーム部の上部を通るトップピンと、後部ピンに回転可能に接続されたマガジン後部とステープルを収容するマガジン前部とを有するステープルマガジンと、上記後部ピンに回転可能に接続されたストライカー後部と上記ステープルマガジンからステープルを押し出すためのストライカーを備えたストライカー前部とを有するストライカーレバーと、上記トップピンまたは上記ストライカーレバーに回転可能に接続されたレバー後部と、ユーザが手動で押下げることができるレバー前部とを有するハンドレバーとを備え、上記ストライカーレバーと上記ハンドレバーとの間に梃子の原理を作用させることにより、上記ハードレバーを押し下げるためのユーザの力を省力化する。
【０００３】
しかしながら、この種のステープラーの梃子機構は、実際の使用とはかけ離れた複雑な構造を有している。
【０００４】
このため、高効率かつ単純で確実な構造を有する省力化が求められている。
【０００５】
〔技術的課題〕
本発明の主たる課題は、信頼性と高い操作性とを有する、開操作可能な省力化ステープラーを提供することにある。
【０００６】
〔技術的解決策〕
上記の課題を解決するために、本発明の開操作可能な省力化ステープラーは、基台部と、上記基台部の前端部に形成された鉄床部と、上記基台部の後端部に形成されており、それぞれが後部穴と前部ギアとを備えている１組のフレーム部と、上記１組のフレーム部の上記後部穴に通された後部ピンと、上記後部ピンおよびマガジン前部に回転可能に接続されたマガジン後部を有するステープルマガジンと、上記基台部と上記ステープルマガジンとの間に配置された第１弾性部材と、上記後部ピンに回転可能に接続されたストライカー後部と、ストライカーを有するストライカー前部と、１組の中間ストライカー開口部とを有するストライカーレバーと、上記ステープルマガジンと上記ストライカーレバーとの間に配置された第２弾性部材と、レバー前部と、それぞれが上記前部ギアの１つに噛み合う１組の後部ギアと、１組の中間レバー開口部と、上記ストライカーレバーの上記中間ストライカー開口部と上記中間レバー開口部とに通された中間ピンとを有する押しレバーと、上記ストライカーレバーと上記押しレバーとの間に配置された第３弾性部材と、上記後部ピンに回転可能に接続されたハンドカバーとを備えている。
【０００７】
〔有利な効果〕
上記の省力化ステープラーは、高い操作性を有しており、かつ信頼性の高い単純な構造を有している。
【０００８】
〔図面の説明〕
図１は、本発明の開操作可能な省力化ステープラーの好ましい実施例の斜視図である。
【０００９】
図２は、図１に示した開操作可能な省力化ステープラーの分解図である。
【００１０】
図３は、図１に示した開操作可能な省力化ステープラーのハンドカバーの斜視図である。
【００１１】
図４は、図１に示した開操作可能な省力化ステープラーの部分側面図である。
【００１２】
図５は、図１に示した開操作可能な省力化ステープラーにおける開操作した状態を示す側面図である。
【００１３】
〔最良の形態〕
図１，２，３，４，５は、本発明の省力化ステープラー１を示している。このステープラー１は、テーブル等の平面上に載置可能な基台部１０と、上記基台部１０の前端部に形成された鉄床部１１と、上記基台部１０の後端部に形成されており、それぞれが後部穴１３と前部ギア１４とを有する１組のフレーム部１２と、上記１組のフレーム部１２の上記後部穴１３に通された後部ピン１５と、上記後部ピン１５およびステープル（図示せず）を収容するマガジン前部２２に回転可能に接続されたマガジン後部２１を有するステープルマガジン２０と、上記基台部１０と上記ステープルマガジン２０との間に配置された第１弾性部材２３と、上記後部ピン１５に回転可能に接続されたストライカー後部３１と、ステープルマガジン２０からステープルを１つ押し出すためのストライカー３３を有するストライカー前部３２と、当該ストライカーレバーに３０設けられた１組の中間ストライカー開口部３４とを有するストライカーレバー３０と、上記ステープルマガジン２０と上記ストライカーレバー３０との間に配置された第２弾性部材３５と、レバー前部４１と、それぞれが上記フレーム部１２の上記前部ギア１４の１つに噛み合う１組の後部ギア４２と、当該押しレバー４０に設けられた１組の中間レバー開口部４３と、上記ストライカーレバー３０の上記中間ストライカー開口部３４と当該押しレバー４０の中間レバー開口部４３とに通された中間ピン４４と、当該押しレバー４０に設けられた１組の前部レバー開口部４５と、上記１組の前部レバー開口部４５に通された前部ピン４６と、上記前部ピン４６を覆う１組の角型スライダー４７とを有する押しレバー４０と、上記ストライカーレバー３０と上記押しレバー４０との間に配置された第３弾性部材４８と、上記後部ピン１５に回転可能に接続されており、上記１組の角型スライダー４７をそれぞれ囲む１組の内部溝５１を有するハンドカバー５０とを備えている。
【００１４】
使用時には、本発明の省力化ステープラー１は、図１および図４に示すように、第１弾性部材２３、第２弾性部材３４、および第３弾性部材４８が完全に拡張した状態である予備状態になる。使用は、マガジン前部２２と鉄床部１１との間に綴じるべき積層された紙を配置し、ハンドカバー５０を押し下げることにより行われる。ハンドカバー５０は、後部ピン１５を軸として回転し、内部溝５１は角型スライダー４７を下方に押す。上記角型スライダー４７は、下方に移動するとともに、内部溝５１に沿って前方にスライドする。角型スライダー４７が下方に移動すると、ハンドレバー４０のレバー前部４１が中間ピン４４の周りを第１弾性部材２３、第２弾性部材３４、および第３弾性部材４８に逆らって回転する。同時に、後部ギア４２が前部ギア１４の周りを遊星歯車のように回転して下方へ移動する。後部ギア４２が下方に回転すると、中間ピン４４がストライカーレバー３０をステープルのために下方へ移動させる。ステープリングの後、ユーザがハンドレバー４０を離すと、第１弾性部材２３、第２弾性部材３４、および第３弾性部材４８がそれぞれステープルマガジン２０、ストライカーレバー３０、押しレバー４０を予備状態に戻す。ステープルをステープルマガジン２０に補充する必要がある場合、図５に示すように、ユーザは、ハンドカバー５０を上方に引き、後部ギア４２と前部ギア１４との係合を解除させ、ステープルを補充するためにストライカーレバー３０を持ち上げる。ストライカーレバー３０、ステープルマガジン２０、およびステープルを補充するためのそれらの関連は公知技術なのでここでは詳細には説明しない。
【００１５】
図４に示したように、手動押圧力ａ１の腕は一般に後部ギア４２の反力ａ２の腕の７〜１０倍であり、ステープリング抵抗ａ３の腕は一般に中間ピン４３の押力ａ４の腕の３倍である。したがって、省力化ステープラーにより、７／３〜１０／３倍の梃子の効果が得られる。上記の説明から明らかなように、上記の省力化ステープラーは、高い省力化効果が得られるとともに、信頼性の高い単純な構造を有していることがわかる。なお、図２に示すように、ユーザの手の接触感を向上させるために、ハンドカバー５０にゴムパッド５２を設けてもよい。
【図面の簡単な説明】
【００１６】
【図１】本発明の開操作可能な省力化ステープラーの好ましい実施例の斜視図である。
【図２】図１に示した開操作可能な省力化ステープラーの分解図である。
【図３】図１に示した開操作可能な省力化ステープラーのハンドカバーの斜視図である。
【図４】図１に示した開操作可能な省力化ステープラーの部分側面図である。
【図５】図１に示した開操作可能な省力化ステープラーにおける開操作した状態を示す側面図である。
【図１】
0003196139.tif 000003
【図２】
0003196139.tif 000004
【図３】
0003196139.tif 000005
【図４】
0003196139.tif 000006
【図５】
0003196139.tif 000007